(57)【要約】【課題】土を取り入れるケースの間口部に堆積する土を除去する。【解決手段】耕耘装置７の後側にフィルム敷設装置９を設け、このフィルム敷設装置９と耕耘装置７との間に耕耘装置７で耕耘した土を敷設したフイルムに載せる土搬送装置１０とを備え、土搬送装置１０は、前側に土を掬う間口部６４を有し且つ後側に土を搬出する搬出口６８を有したケース６０と、このケース６０の開口部６４から掬い上げられた土をケース６０内に掻き入れて前記搬出口６８へ搬送する搬送手段４５と、少なくとも間口部６４に堆積した土を削り取る土削り手段４６とを有する。【選択図】図１
2005176703.tif 000002
【特許請求の範囲】
【請求項１】
耕耘装置の後側にフィルム敷設装置を設け、このフィルム敷設装置と耕耘装置との間に耕耘装置で耕耘した土を敷設したフイルムに載せる土搬送装置を備えており、この土搬送装置は、前側に土を掬う間口部を有すると共に後側に土を搬出する搬出口を有したケースと、このケースの開口部から掬い上げられた土をケース内に掻き入れて前記搬出口へ搬送する搬送手段と、前記ケースの少なくとも間口部に付着しようとする土を除去する土除去手段とを有することを特徴とするマルチ作業機。
【請求項２】
前記搬送手段は、ケースの前後両端側に設けられて回転する回転体と、この前後の回転体に巻かれて回転体の回転に伴って回転するチェーンと、チェーンに取り付けられた搬送体とを有し、前記土除去手段は、チェーンに取り付けられた土除去爪から構成されていることを特徴とする請求項１に記載のマルチ作業機。
【請求項３】
前記間口部から搬出口までのケース内の搬送面を樹脂製板材で形成し、この樹脂製板材の下側に弾性変形する弾性部材を設けたことを特徴とする請求項１又は２に記載のマルチ作業機。
【請求項４】
前記間口部の搬送面を金属製板材で形成し、間口部の後端から搬出口までの搬送面を樹脂製板材で形成し、前記樹脂製板材で形成した搬送面を円弧状に形成し、金属製板材で形成した搬送面を角状に形成したことを特徴とする請求項１又は２に記載のマルチ作業機。
【請求項５】
前記土除去爪は、ケースの間口部の底壁と側壁に近接した略Ｌ形の爪部を有することを特徴とする請求項２に記載のマルチ作業機。
【請求項６】
前記耕耘装置にゲージ輪を設け、前記搬送手段の動力をゲージ輪の回転軸から取り出すようにしたことを特徴とする請求項１〜５のいずれかに記載のマルチ作業機。
【発明の詳細な説明】
【技術分野】
【０００１】
本発明は、例えば、土供給装置を有するマルチ作業機に関する。
【背景技術】
【０００２】
畝の上にマルチフィルムを敷くフィルム敷設装置と、フィルム敷設装置よりも前側で土を掬って畝の上に敷かれたマルチフィルム上に土を被せる土供給装置とを有するマルチ作業機として、特開平５−３３６８４９号公報がある（例えば、特許文献１）。
このマルチ作業機の土供給装置は、ケースの前側に設けた搬入口から土を掬い取ってケース内に取り入れて搬送手段でケースの後側まで搬送し、ケースの後部の搬出口から畝の上に敷かれたマルチフィルムの上に土を被せるようにしている。
【特許文献１】特開平５−３３６８４９号公報
【発明の開示】
【発明が解決しようとする課題】
【０００３】
しかしながら、ケースの搬入口から土をケース内に掬い入れたときに、ケース内に取り入れた土がケースの後部へ移動せず土を掬うケースの土搬送面、特に間口部分で堆積することがあり、その結果、搬入口の開口が狭くなり取り入れる土の量（搬入量）が減少して、マルチフィルム上に被せる土の量（搬出量）が必要量に達しない問題があった。
そこで、本発明は、上記問題点に鑑み、ケースの少なくとも間口部に付着しようとする土を除去できるようにしたマルチ作業機を提供することを目的とする。
【課題を解決するための手段】
【０００４】
前記目的を達成するため、本発明においては以下の技術的手段を講じた。即ち、耕耘装置の後側にフィルム敷設装置を設け、このフィルム敷設装置と耕耘装置との間に耕耘装置で耕耘した土を敷設したフイルムに載せる土搬送装置を備えており、この土搬送装置は、前側に土を掬う間口部を有し且つ後側に土を搬出する搬出口を有したケースと、このケースの開口部から掬い上げられた土をケース内に掻き入れて前記搬出口へ搬送する搬送手段と、ケースの少なくとも間口部に付着しようとする土を除去する土除去手段とを有する点にある。
【０００５】
これによれば、土除去手段を設けたので少なくとも間口部に付着しようとする土を除去ことが可能になり、間口部の土の取り入れ量を必要量確保することができる。
本発明における課題解決のための他の技術的手段は、搬送手段は、ケースの前後両端側に設けられて回転する回転体と、この前後の回転体に巻かれて回転体の回転に伴って回転するチェーンと、チェーンに取り付けられた搬送体とを有し、前記土除去手段は、チェーンに取り付けられた土除去爪から構成されてている点にある。
これによれば、搬送体を取り付けたチェーンに土除去爪を取り付けるだけで間口部の土を削って除去することができ、しかもケースの全搬送面での土の付着を防止することができる。
【０００６】
本発明における課題解決のための他の技術的手段は、前記間口部から搬出口までのケース内の搬送面を樹脂製板材で形成し、この樹脂製板材の下側に弾性変形する弾性部材を設けている点にある。
これによれば、搬送面を樹脂製板材で形成したことで、搬送面への土の付着を低減することができると共に搬送面の下部に弾性部材を設けたことで、土の削り抵抗等に対応して搬送面を柔軟に変化させることができ、これによって、搬送手段及び土除去手段の作動をスムーズに作動させることができる。
【０００７】
本発明における課題解決のための他の技術的手段は、前記間口部の搬送面を金属製板材で形成し、間口部の後端側から搬出口までの搬送面を樹脂製板材で形成し、この樹脂製板材で形成した搬送面を円弧状に形成し、金属製板材で形成した搬送面を角状に形成した転にある。
これによれば、間口部の後端側から搬出口までの搬送面を樹脂製板材で形成し且つこの搬送面を円弧状にしたことで、この搬送面への土の付着を低減することができると共に搬送面付着する土の量を低減することができる。また、間口部を金属製板材で形成し且つ、この搬送面を角状にしたことで、間口部の強度が増すと共に多くの土を掬うことが可能になる。
【０００８】
本発明における課題解決のための他の技術的手段は、前記土除去爪は、ケースの間口部の底壁と側壁に近接した略Ｌ形の爪部を有する点にある。
これによれば、搬送面のコーナ部の土を除去することができると共に、例えばこの土除去爪に石が当たった場合に、その石を土除去爪の先端から逃がすことができ、ケース内において石等による詰まりを防止することが可能である。
本発明における課題解決のための他の技術的手段は、前記耕耘装置にゲージ輪を設け、前記搬送手段の動力をゲージ輪の回転軸から取り出すようにした点にある。
【０００９】
これによれば、搬送手段を駆動させるために、例えば、モータ等の動力を設ける必要がなく、ゲージ輪の回転軸の回転を有効に利用することができる。また、マルチ作業機を牽引する走行車両の速度に対応して駆動させることができる。
【発明の効果】
【００１０】
ケースの少なくとも間口部に付着しようとする土を除去でき、間口部の土の取り入れ量を必要量確保することができる。
【発明を実施するための最良の形態】
【００１１】
以下、本発明の実施の形態を図面を参照して説明する。
図１に示すように、マルチ作業機１はトラクタ等の車両２の後部に、三点リンク機構等を介して、着脱自在に連結されている。
三点リンク機構は、トラクタ２の後部の左右方向中央部に連結したトップリンク３と、トラクタ２の後部の左右方向両端側に連結した左右一対のロワーリンク４とを備え、これらトップリンク３及びロワーリンク４は、トラクタ２の後部で上下揺動自在に枢着されている。
【００１２】
トップリンク３及びロワーリンク４の後部側には連結体５が設けられ、この連結体５を介してマルチ作業機１が三点リンク機構に連結されている。
マルチ作業機１は、トラクタ２の後部に設けられた耕耘装置７と、この耕耘装置７の後側に設けられた畝成形装置８と、この畝成形装置８の後側に設けられたフィルム敷設装置９と、このフィルム敷設装置９と耕耘装置７との間に設けられた土搬送装置１０とを有している。
耕耘装置７は、センタドライブ式ロータリ耕耘装置であり、連結体５に取り付けられる機枠１３と、この機枠１３の下側に設けられたロータリ耕耘部１４と、このロータリ耕耘部１４を覆うロータリカバー１５とを有している。
【００１３】
機枠１３は、左右方向中央のギヤケース１６から左右方向両側にサポートアーム１７を突設すると共に、このサポートアーム１７の外端側に前後に延びる左右一対の前側支持部材１８を設け、ギヤケース１６の下部に伝動ケース１９を連結することによって構成されている。
伝動ケース１９の下端部側には、傾斜爪軸（図示せず）及び爪軸２１が左右方向に突設され、これら傾斜爪軸及び爪軸２１の軸方向及び周方向に間隔をおいて多数の爪ブラケット２２が設けられ、各爪ブラケット２２に耕耘爪２３の基部が挿入されて耕耘爪２３が取付具２４によって抜け止めされている。この爪軸２１、耕耘爪２３、取付具２４等によってロータリ耕耘部１４が構成されている。
【００１４】
この耕耘装置７では、トラクタ２の動力出力軸（ＰＴＯ軸）からギヤケース１６内に動力が伝えられて伝動ケース１９を介して傾斜爪軸及び爪軸２１を回転可能としており、これによって、耕耘爪２３は土をダウンカット耕耘するようになっている。
ロータリカバー１５は、ロータリ耕耘部１４を上方から覆うべく前側支持部材１８に取り付けられている。このロータリカバー１５の後側には、畝の上部（上面）を成形する上部畝成形部材２６が設けられている。
この上部畝成形部材２６は、ロータリ耕耘部１４の後側を覆っており、前部がロータリカバー１５の後側に設けられたヒンジ２７等により枢支されて、後部が上下揺動となっている。
【００１５】
図２に示すように、上部畝成形部材２６の左右方向中央部には切り欠き部２８が設けられており、ロータリ耕耘部１４で耕耘した土をロータリ耕耘部１４と上部畝成形部材２６との間で掬うべく、切り欠き部２８に土搬送装置１０の前側が挿通されている。
前側支持部材１８の後部にはツールバー２９が設けられており、ツールバー２９の前側には上部畝成形部材２６の下端高さを調整可能に設定すると共に、上部畝成形部材２６を下方へ弾下する左右一対の支持具３０が設けられている。
この支持具３０は、一端がツールバー２９に枢支されると共に、他端が上部畝成形部材２６に固定されて上下スライド可能な支持棒３１と、この支持棒３１の下部を下方に押さえ付ける弾性バネ３２とを有しており、この支持棒３１を上下にスライドして所定位置でロックすることによって、上部畝成形部材２６の下側位置を設定し、弾性バネ３２力よって上部畝成形部材２６の前側が耕耘した土を適度に押さえつけるようになっている。
【００１６】
前側支持部材１８には、ロータリ耕耘部１４に対してツールバー２９の高さを変更可能な高さ変更手段４０が設けられている。即ち、高さ変更手段４０は、前側支持部材１８を前後に分離形成し、前側支持部材１８の前支持部１８Ｆに上下締結部４１（締結孔）を形成する一方、前側支持部材１８の後支持部１８Ｒに締結部（締結孔）を形成し、ボルト４２等を介して前支持部１８Ｆの上下締結部４１と後支持部１８Ｒの締結部との上下締結位置を変更可能にすることによって構成されている。
前側支持部材１８の後支持部１８Ｒには、前側支持部材１８を連結する連結バー３４が設けられ、この連結バー３４と連結体５との間に、連結体５に着脱自在に連結され且つギヤケース１６に固定のトップマスト３５が設けられ、このトップマスト３５と連結バー３４とはハンドル操作で伸縮する伸縮部材３７で連結されている。
【００１７】
一方、前支持部１８Ｆには前後方向に長い２つの円弧状の長孔４３が形成されており、この長孔４３に、サポートアーム１７の両端側に取り付けた左右一対の取付片４４を前支持部１８Ｆ取り付けるボルト４２が挿入可能となっており、これによって、取付片４４は前支持部１８Ｆに前後位置調整自在に取付可能となっている。
したがって、取付片４４と前支持部１８Ｆとの締結を解除した状態で、トップマスト３５に設けたハンドル３８を操作して伸縮部材３７を伸縮することによって、耕耘装置７に対するツールバー２９及び前側支持部材１８の後部の高さ、即ち、地面に対するマルチ作業機１の高さを変更可能にしており、また、前後位置も調整可能としている。
【００１８】
ツールバー２９の後側には左右一対の支柱４８が設けられている。この左右一対の支柱４８の下部には、前方に延設された取付具４９が取り付けられており、この取付具４９の前部に畝の側部を成形する左右一対の側部畝成形部材５０が固定されている。この各側部畝成形部材５０は上部畝成形部材２６の左右両側に位置している。
図１，２に示すように、側部畝成形部材５０、上部畝成形部材２６等によって畝成形装置８を構成しており、この畝成形装置８は耕耘装置７の後側に設けられている。
左右各支柱４８の下部には、回転自在に支持されたゲージ輪５１が設けられており、このゲージ輪５１によって耕耘装置７、畝成形装置８等が支持されている。
【００１９】
支柱４８の中途部には、後方に延設された左右一対の取付具５２が設けられており、この取付具５０の後端部側に、支持軸５３が設けられ、この支持軸５３にはロール状のマルチフィルム５４が装着されている。
支柱４８の上部には、後方に延設された左右一対の後側支持部材５５が設けられており、この後側支持部材５５の後部に上下揺動自在に支持された取付具５６が設けられており、この取付具５６の後部に左右一対の覆土ディスク５７、取付具５６の中途部に回転自在に支持された左右一対の踏圧輪５８が設けられている。また、覆土ディスク５７と踏圧輪５８とは、取付具５６を上下動することによって、作業姿勢と退避姿勢とに変更可能となっている。
【００２０】
したがって、支持軸５３、マルチフィルム５４、踏圧輪５８、覆土ディスク５７等によってフィルム敷設装置９が構成され、このフィルム敷設装置９は耕耘装置７の後側に設けられている。
このフィルム敷設装置９は、トラクタ２の走行に伴って畝の上面側にマルチフィルム５４を引き出して畝幅全体にマルチフィルム５４を敷くものであり、左右一対の踏圧輪５８によってマルチフィルム５４の左右両端側を畝に押さえ付け、覆土ディスク５７でマルチフィルム５４の左右両端に土を被せることによって、畝に敷かれたマルチフィルム５４を風等によって飛ばないようにしている。
【００２１】
耕耘装置７の後側、即ち、耕耘装置７の後部からフィルム敷設装置９の上方にかけて土搬送装置１０が設けられており、この土搬送装置１０は耕耘装置７の左右方向中央に位置している。
この土搬送装置１０は、前側から土を取り込んで後側から土を排出するケース６０と、ケース６０の前側からケース６０内に取り込んだ土を掻入れてケース６０の後側搬送する搬送手段４５と、ケース６０内に堆積した土を削り可能な土除去手段４６とを有している。
【００２２】
ケース６０は、金属製部材で前後方向に延びる角筒状に形成され、このケース６０は前側から後側にいくに従って上方に移行するように、尻上がり傾斜状（後部上がり傾斜状）に取り付けられている。
即ち、ケース６０の前後方向中途部は取付具６１を介してツールバー２９の左右方向中央部に横軸廻りに回動自在に枢支され、ケース６０の前側は連結バー３４に伸縮部材６２を介して支持されており、伸縮部材６２を伸縮させることによって、畝に対する土搬送装置１０の角度が変更可能となっている。
【００２３】
このケース６０の前部には、耕耘装置７で耕耘した土を内部に取り込む搬入口６３が設けられると共に、搬入口６３からケース６０内に取り入れるべく土を掬う間口部６４が形成され、ケース６０の前側底壁６５には、ケース６０底壁６５から下方に突出する断面視で略Ｖ形の溝成形部材６６が設けられている。
この間口部６４は、地面に突き刺し可能なケース６０の先端側の先端底壁６５Ｆと、この先端底壁６５Ｆの左右両側に位置して地面に突き刺し可能なケース６０の先端側の先端側壁６７Ｆとで構成されている。
【００２４】
ケース６０の後部には、ケース６０内の土を搬出する搬出口６８が設けられており、ケース６０内の土を搬送手段４５で搬送して、搬出口６８から土を排出して畝に敷かれたマルチフィルム５４の幅方向中央部にその土を載せるようになっている。
この間口部６４（搬入口６３）から搬出口６８に亘るケース６０内の底壁６５及び側壁６７上に弾性変形可能な弾性部材６９（スポンジ）が取り付けられ、この弾性部材６９の上面に樹脂材料で形成された樹脂製部材７０が設けられている。
この弾性部材６９及び樹脂製部材７０は撓み変形可能な板状部材であり、これらの部材はケース６０の側壁６７の上下方向下半部を覆うと共に、ケース６０の底壁６５の全面を覆っており、樹脂製部材７０の上面は土を搬送する搬送面７１とされている。間口部６４（搬入口６３）から搬出口６８までの搬送面７１の左右方向のコーナ部７１Ｃは、円弧状に形成されている。
【００２５】
ケース６０の後部の底壁６５は、ケース６０内側からケース６０外側に突出するように屈曲して下方傾斜しており、この底壁６５の上面（搬出口６８からケース６０外側に突出した底壁６５の上面）は搬送面７１と連続的に連なった搬出面７２とされ、この搬出面７２には上記搬送面７１と同様に、弾性変形可能な弾性部材６９（スポンジ）が取り付けられ、この弾性部材６９の上面に樹脂材料で形成された樹脂製部材７０が設けられている。
この搬出面７２は平坦面とされ、搬出面７２の左右方向両側にガイド体７３（ガイド壁）が設けられている。即ち、ケース６０の後部の側壁６７にガイド体７３が設けられ、このガイド体７３によって搬出口６８から排出された土が左右方向へ散らばることなく集中して搬出面７２から落下するようにしている。
【００２６】
ケース６０内の前後両端側には回転体（スプロケット）７５が設けられ、この回転体７５の回転軸７６は左右方向両側に突出していてケース６０の側壁６７に設けられたベアリング等によって回転自在に支持されている。この前後一対の回転体７５には回転体７５の回転に伴って回転するチェーン７７が巻かれており、このチェーン７７に所定間隔をおいて多数の平板状の搬送体７８が着脱可能に取り付けられている。
このチェーン７７には、複数の土除去爪７９が着脱自在に設けられており、各土除去爪７９は前後の搬送体７８の間に配置されている。この各土除去爪７９は、チェーン７７に取り付けられる取付部８０と、この取付部８０の一端から下方に屈曲してケース６０の側壁６７に沿う縦爪部８１と、この縦爪部８１からケース６０内方に屈曲してケース６０の底壁６５に沿う横爪部８２とを有している。
【００２７】
図５に示すように、チェーン７７に取り付けられる土除去爪７９は、前後に配置された土除去爪７９の縦爪部８１が対向するように、所定間隔毎に対向配置されており、それぞれの土除去爪７９によって搬送面７１の左右両側のコーナ部７１Ｃの土が削り可能となっている。
この土除去爪７９の縦爪部８１及び横爪部８２が間口部６４の搬送面７１に沿って移動する際、縦爪部８１は間口部６４の縦搬送面７１に近接し、横爪部８２は間口部６４の横搬送面７１に近接可能となっており、この縦爪部８１及び横爪部８２によって略Ｌ形の爪部８３が形成されている。
【００２８】
この土除去爪７９は、搬送面７１に沿って移動するとき、搬送面７１のコーナ部７１Ｃに堆積した土を削り除去可能となっている。
ケース６０内の後部に設けられた回転体７５の回転軸７６の一端は、ケース６０の外側に延設されてその回転軸７６にスプロケット８５ａが設けられている。
このスプロケット８５ａの前側に、ケース６０に回転自在に支持されてケース６０の外側に位置し、同一軸で回転する大小二つのスプロケット８５ｂ，８５ｃが設けられ、この２つのスプロケット８５ｂ，８５ｃの前側に、ケース６０に回転自在に支持されてケース６０の外側に位置する大きなスプロケット８５ｄが設けられている。そして、スプロケット８５ａと大スプロケット８５ｂとにチェーン８６を巻き付け、小スプロケット８５ｃと大スプロケット８５ｄとをチェーン８６を巻き付けており、大スプロケット８５ｄに入力された動力の回転数を２段に増幅可能としている。
【００２９】
大スプロケット８６ｄの回転軸８７は、ケース６０の側壁６７を貫通して左右両側外方に突出しており、この回転軸８７の両端部に左右一対の動力伝達軸８８を介して左右のゲージ輪５１の回転軸８９の動力が入力可能に連結している。
搬送手段４５は、これら回転体７５、チェーン７７、搬送体７８、スプロケット８５、チェーン８６等から構成され、これらによって、ケース６０の開口部６４から掬い上げられた土をケース６０内に掻き入れて搬出口６８へ搬送可能となっている。
また、土削り手段４６は、チェーン７７に取り付けられた土除去爪７９から構成され、
少なくとも間口部に堆積した土を削り取り可能となっている。
【００３０】
したがって、トラクタ２を走行させるとゲージ輪５１が回転し、ケース６０内後部の回転体７５に動力が伝達されて、搬送体７８及び土除去爪７９はケース６０内でａ方向に移動する（図４参照）。
このとき、トラクタ２の走行に伴って間口部６４で土を掬い上げてケース６０内に土が取り入れられ、間口部６４の近傍を移動する搬送体７８がケース６０の後方側にその土を掻き上げ、搬送体７８によって搬出口６８へ搬送する。
また、走行体の走行に伴って地面に突き刺された溝成形部材６６によって、搬出口６８の前側の左右方向中央に略Ｖ形の溝が形成されて２つの畝が成形され、その溝（２つの畝間）に搬出口６８から落下した土が盛られて左右方向中央のマルチフィルム５４の上に土が掛けられるようになっている。
【００３１】
このとき、搬送体７８と共にケース６０内を移動する土除去爪７９は、間口部６４の近傍を移動する際、間口部６４の搬送面７１に堆積した土を爪部８３で削り、削られた土は土除去爪７８又は搬送体７８によって搬送される。
なお、土除去爪７９は、搬送面７１の全域（搬入口６３から搬出口までの搬送面７１）に沿って移動するため、間口部６４以外の搬送面７１に堆積した土を削るようになっている。
したがって、間口部６４の搬送面７１（特に、搬送面７１のコーナ部７１Ｃ）における土の滞りがなくなり、土の搬入量を一定にすることができる。
【００３２】
また、搬送面７１を樹脂製にしたことで、搬送面７１の土の付着が低減すると共に、搬送面７１のコーナ部７１Ｃを円弧状にしたことで、土が左右方向中央側に集まり易くなり、搬送面７１のコーナ部７１Ｃの土の付着が低減する。
さらには、搬送面７１の下側に弾性部材６９を設けたことで、土の削り抵抗等に対応して搬送面を柔軟に変化させることができ、これによって、搬送手段及び土削り手段の作動をスムーズに作動させることができる。
次に本発明の第２の実施の形態を図面を参照して説明する。
【００３３】
図８〜１０に示すように、ケース６０の側壁６７Ｆを金属製部材９０で形成し、ケース６０の先端底壁６５Ｆ上に平板状の金属製部材９０を設けて、ケース６０の間口部６４の搬送面７１を金属製部材９０で形成すると共に、これに続く側壁７６及び底壁６５の上面に樹脂製部材７０，弾性部材６９を設けて、間口部６４の後端から搬出口６８までの搬送面７１を樹脂製部材７０で形成している。
この間口部６４の搬送面７１の左右のコーナ部７１Ｃは、略９０°の角形であり、間口部６４の後端部から搬出口６８までの搬送面７１のコーナ部７１Ｃは円弧状となっている。
【００３４】
上記搬送面７１の円弧状の傾斜は、搬送面７１がケース６０の前側から後側にいくに従って次第に緩やかになっている。即ち、間口部６４の後端部に近傍の搬送面７１のコーナ部７１Ｃの傾斜は急であり、間口部６４の後端部から離れるに従って緩やかになっている。
また、間口部６４の後側の金属板材の下側には樹脂製部材７０を設けており、間口部６４の後端部から搬出口６８までの搬送面７１の下側には弾性部材６９を設けている。
ケース６０の後側の搬出面７２は、ケース６０の底壁６５をケース６０外側下方に屈曲して形成しており、この搬出面７２は、金属製部材で構成されている。
【００３５】
本実施形態にかかるは、上記実施の形態に限定されるものではない。
即ち、上記の実施の形態では、搬送面７１の全域のコーナ部７１Ｃの土を削れるように、土削り手段４５を構成しているが、この土削り手段４５を少なくとも間口部６４における搬送面７１のコーナ部７１Ｃの土が削れるように構成してもよい。例えば、ケース６０の前側に設けた回転体７５の回転軸７６に土除去爪７９を取り付けるようにしてもよい。  また、トップリンク３及びロワーリンク４の後部側に連結体５を設け、この連結体５を介してマルチ作業機１を三点リンク機構に連結しているが、トップリンク３及びロワーリンク４の後部側に、マルチ作業機１の前部側を直接連結してもよい。
【００３６】
また、マルチ作業機１は、耕耘装置７と、畝成形装置８と、フィルム敷設装置９と、土搬送装置１０とで構成しているが、このマルチ作業機１を耕耘装置７以外の装置、即ち、畝成形装置８と、フィルム敷設装置９と、土搬送装置１０とで構成してもよいし、フィルム敷設装置９と、土搬送装置１０とで構成してもよい。
また、土除去爪７９の爪部８３を底壁６５及び一方の側壁６７に近接するように略Ｌ字形に形成したが、爪部８３を底壁６５及び側壁６７の左右両側に沿うように略コ字形に形成してもよい。
【図面の簡単な説明】
【００３７】
【図１】本願発明の実施の形態にかかるマルチ作業機の概略全体側面図である。
【図２】マルチ作業機の概略斜視図である。
【図３】マルチ作業機の概略背面図である。
【図４】ケースの側面断面図である。
【図５】図４のＡ−Ａ断面図である。
【図６】図４のＢ−Ｂ断面図である。
【図７】マルチ作業機の概略側面図である。
【図８】第２の実施の形態にかかるマルチ作業機のケースの側面断面図である。
【図９】図８のＣ−Ｃ断面概略図である。
【図１０】図８のＤ−Ｄ断面概略図である。
【符号の説明】
【００３８】
１    マルチ作業機
７    耕耘装置
９    フィルム敷設装置
１０  土供給装置
４５  搬送手段
４６  土削り手段
６０  ケース
６４  間口部
６８  搬出口
【図１】
2005176703.tif 000003
【図２】
2005176703.tif 000004
【図３】
2005176703.tif 000005
【図４】
2005176703.tif 000006
【図５】
2005176703.tif 000007
【図６】
2005176703.tif 000008
【図７】
2005176703.tif 000009
【図８】
2005176703.tif 000010
【図９】
2005176703.tif 000011
【図１０】
2005176703.tif 000012